(57)【要約】【課題】  水で洗浄後の人体の局部を従来よりも短い時間で乾燥させることができる便器用乾燥装置を提供する。【解決手段】  左右のエア噴射スリットの本発明形の電磁石の付いた「ノズル」からエアを噴射させて、エア噴射圧（温風圧）により洗浄水滴を囲み中心部に掃くようにして寄せ集め、中心部（臀部肛門付近）にて「だま」になった水滴を「根を切る」「左右にゆり動かすようなブロー」方式にて人体から剥離脱落させ乾燥させる。【選択図】図３
2013227830.tif 000002
【特許請求の範囲】
【請求項１】
人体の局部を水にて洗浄後に前期人体の局部を乾燥する便器用乾燥装置であって、エア噴射手段と移動手段を備え、前期エア噴射手段から人体の局部の周囲を囲み、「ほうきで掃くようなエア噴射」により、洗浄水滴を中心部（肛門付近）に寄せ集め、中心部にて「だま」になった水滴を「根を切るようにする」「左右にブローしてゆり動かす」方法にて剥離脱落乾燥させることを特徴とする便器用乾燥装置である。
従来の温風による乾燥ではなく、洗浄された水分を中央（肛門）に寄せ集め、温風圧により剥離離脱させ、短時間で人体の局部を乾燥させるものである。
【請求項２】
請求１記載の便器用乾燥装置であって、前期エア噴射手段は第１エア噴射スリットおよび第２エア噴射スリットを備え、前期第１エア噴射スリットおよび第２エア噴射スリットの各々には前期エアを噴射する電磁石付きノズルが形成され、前期第１エア噴射スリットおよび第２エア噴射スリットのノズルから噴射されたエアにより洗浄水滴周囲を囲み、水滴を中心部に「掃き寄せる」「根を切る」「左右にブローをかけて揺する」方式にて剥離脱落乾燥させた後、便器の上フタの中に格納する装置である。
前期第１水平移動手段、第２水平・角度変更移動手段、第３上下移動手段、前期第１エア噴射スリット、第２エア噴射スリットを装備している。
【請求項３】
前期第１噴射スリットおよび第２噴射スリットの「本発明の形をした電磁石の付いたノズル」により、スリット幅およびスリットの開閉などの自動コントロールができ、スリットの開閉の連続繰り返しなどによる「たんたんと叩きつけるような温風圧の風合い」や女性のデリケートな部分に必要な「やさしい温和な風合いの温風圧」などを自由に作成することができる。
【発明の詳細な説明】
【技術分野】
【０００１】本発明は、人体の局部（例えば肛門）洗浄後の便器用乾燥装置に関し、特に人体の局部の乾燥に要する時間を従来よりも短くすることができる技術に関するものである。
【背景技術】
【０００２】従来、便器において人体の局部を水（温水を含む）にて洗浄後に自動的に乾燥する装置が設置されたものがある。この場合、温風を人体の局部に吹き付けて人体の局部を乾燥させている。（例えば特許文献１参照）
【特許文献１】特開２００７−８５１２２号公報
【発明の概要】
【発明が解決しようとする課題】
【０００３】しかし、上述の従来例では、洗浄後の人体の局部を温風により乾燥しているので、人体の局部を乾燥させるのに時間がかかるという問題があった。
このため、実際には温風による乾燥をしないで、紙による人体の局部を拭くという結果になる場合が多かった。
そこで、本発明が解決しようとする課題は、水で洗浄後の人体の局部を従来よりも短い時間で乾燥させることができる人体の局部洗浄後の便器用乾燥装置を提供することである。
【課題を解決するための手段】
【０００４】洗浄後人体に付着した水分を「水滴」、人体に受ける強い温風を「温風圧」と言う。
水滴分布は図１のように縦におよそ１５センチ前後、横幅およそ５センチ前後である。
図１では水分量が少なく広範囲に散らばっている外部（以後外部水滴１−１と言う）と水滴が狭い範囲に多量折重なるように付着している中心部（以後中心部水滴１−０と言う。肛門付近）がある。本解決手段としては外部水滴１−１を「ほうきで掃くような」手法によるエア噴射温風圧にて、中心部にはき寄せ中心部で剥離脱落させ乾燥させる。
中心部水滴１−０は洗浄後ほぼ飽和状態で人体に付着しており、そこに外部水滴が加わると飽和状態が不安定になり剥離脱落が起きやすくなる。そこに平面図５で示す左右のエア噴射スリットから噴射される温風圧（図２図３，図４。図３図４は人体に噴射された温風圧を表している。）をかけて、中心部水滴を根元から切り離すように剥離脱落させ乾燥させる。また図４のように左右の噴射スリットを同方向に激しく左右に振るようにして、あたかもドライヤーで洗髪を「ブロー」して乾かす時のような動きをすることで、中心部水滴１−０を激しく左右にゆり動かし、人体への付着を不安定にさせて剥離脱落させる乾燥方法である。水はその液体としての性質により、蒸発には多量のエネルギー（熱量）を要し、なかなか蒸発しづらい性質があり、蒸発をうながして乾燥させるには困難であるので、本件では剥離脱落させて乾燥させることを主体にしている。【０００５】請求項第１記載の発明は、女性のデリケートな部分にも適合しなければならない。
図３や図４のような温風圧をやわらかくやさしくしなければならない。噴射角度、位置その他に関しては多少女性の協力を必要とするが、温風圧は請求項第３記載の発明のスリットのノズルで解決できる。また外部水滴を「ほうきで掃くようにして中心部によせる方式」も請求第３記載のノズルを使用することで解決できる。【０００６】請求項２記載の発明は、請求項１記載の便器用乾燥装置であって、前期エア噴射は図５のように左右に第１エア噴射スリット５−１および第２エア噴射スリット５−２を備え、各部品、装置それぞれ左右完全なシンメトリーである。
また第１エア噴射スリット５−１と第２噴射スリット５−２の間の距離をＬとし、Ｌを小さくして外部水滴１−１を中心部に寄せ、適当な距離Ｌで止め、スリットの噴射角を変更して図３図４の温風圧の動作にて乾燥させるものである。適当な距離Ｌとは第１、第２噴射スリットに洗浄後の剥離脱落した水滴が付着して汚染することを防ぐための距離（以後Ｌ−０と言う。）である。また第１、第２エア噴射スリットを含む装置（本発明装置）は図５のように座椅子の上部の「フタ」（厚さや形の変更必要）の中に格納することができる。【０００７】第１、第２エア噴射スリットを水平に移動する手段を第１平行移動手段５−３（Ｌを小さくする方向に。図５図６）と言う。
また左右のスリットを第１平行移動手段の移動の前に、人体（でん部）への接触を避けるため軸受７−０（図７）を支点にして下方向に移動させなければならない、この移動を第３上下移動手段６−１（図６、図７）と言う。
また噴射スリットの噴射角度の変更と平行移動できる移動手段を第２平行・角度変更移動手段５−４（図６。Ｌ−０で平行移動を停止した後、軸受５−５を支点にして噴射角度を変更することができる。）という。
各移動手段は各エアシリンダおよび各方向に移動させる各シリンダに固定された各ロッドが第１、第２エア噴射スリットを移動させる。
また第１、第２エア噴射スリットは第１平行移動手段５−３に支えられている。
本件では、始めに第３上下移動手段により図７の軸受７−０を支点にして下方斜めに移動し、次に第１平行移動手段５−３、第２平行・角度変更移動手段５−４が同時に平行移動（Ｌを小さく、Ｌ＝Ｌ−０まで。）し、外部水滴１−１を中心部（肛門付近）に寄せるため平行移動をＬ−０で停止した後、第２平行・角度変更移動手段がスリットの噴射角を変えながらエア噴射（図３、図４）をして中心部水滴１−０を剥離脱落乾燥させた後、第１平行移動手段、第２平行・角度変更移動手段により、Ｌを大きくする方向（水平）に移動させて、第３上下移動手段により座イスの上フタの中に格納（図７）される。【０００８】図８、図９は、請求項３記載の発明に係る便器乾燥装置の噴射スリットの断面図、左側面図であり、図１０はエア噴射スリットのノズルの断面図である。
図８はエアコンプレッサからの温風圧の流れを表し、図９はスリットのエア噴射角度変更のための軸受１０−１、第３平行・角度変更移動手段のロット８−３、温風圧噴射のためのエア入口８−２、第１平行移動手段のための軸受５−５（スリットを支えている。）が備わっている。
図１０では噴射スリットのノズルの断面図であり、ノズル部分の先端には電磁石８−０、ノズル口の開閉のための軸受１０−１が備わっている。
ノズルの先端部分（上フタ１０−０）は軸受１０−１を支点にしてエア噴射の開閉をしている。
またスリットの側面はエア漏れがないように蛇腹状（ひだ状の伸縮するもの、折り畳み式）の物が取り付けられている。【０００９】第３請求項の発明には、図１０（噴射スリットのノズル部分の断面図）のようにスリットのノズルの上フタ、下フタ部分に電磁石８−０が備わっている。上フタは軸１０−１を支点に動作してエア噴射の開閉ができるようになっている。
スリットのフタの電磁石に流れる電流を制御すると、スリット幅を０から全開まで細かく制御でき、温風圧をシャープにしたり、マイルドにしたり、またスリットを開閉して叩きつけるような風圧や女性のデリケートな部分のためのきめ細かな風合いなども作成できる。
上フタ１０−０を下フタに微細に近づけ、図１０に示すように上フタ１０−０の本発明の形は、音風圧のスリット内の気圧を最大に上げて一気に空気中に噴射することにより温風圧の最大速度を得られるようにしてある。（気圧エネルギーが温風圧の速度エネルギーに変換される。）
またデリケーットな温風圧の風合いをだすためには、図１０に示すようにスリットノズルを全開にする。この場合の上フタの形１０−０ではノズル内の気圧が下がり、やわらかい温風圧が噴射されるようになっている。
このように上フタ１０−０は電磁石とノズル内の噴射気圧との反発力を利用して、電磁石への電流をコントロール（制御）することで色々な風合いの温風圧を得られるようになっている。
洗浄後の水滴を自動乾燥する場合、使用者には絶えず動作の成否に不安感がつのる。使用感、達成感なども使用者に感ずる必要があり、この色々な風合いは上手にきめ細かく制御することで使用者に使用感、達成感、満足感などを与えることができる。【００１０】第３請求項の発明の「ほうきで掃くような温風圧」方法はこの電磁石の電流の制御を利用して、スリット幅を極めて小さくしてシャープな温風圧を作成噴射させ、例えば１．５センチ中心部へ前進後にスリットのノズルのフタを閉じてスリットを元に戻して例えば１センチ後退し、前記のシャープな温風圧を作成して噴射しながら例えば１．５センチ前進（中心部）させることである。ほうきで掃く時は、ほうきを地面から浮かして後方に移動させ地面に接触させて前方に掃き出している。これと同様に温風圧をほうきの代わりにして、温風圧で外部水滴１−１を前方に（中心部１−０方向に）掃き寄せ、スリットを閉じて後方に移動させ、また前方に（中心部に）鋭く温風圧をかける方法で進んで行くようにする方法である。
この方法は、叩きつけるような温風圧を断続的に人体にかけ、高い使用感を人体に与える。
乾燥装置による使用感は非常に大切であり、使用感がないと目的が達成できているかどうか使用者に不安感を与えるものである。本発明では電磁石を制御してノズルを閉じたり、ノズル幅を極小にして叩きつけるような温風圧にしたりして、外部水滴１−１を中心部に「掃き寄せ」、中心部水滴１−０を剥離脱落させる非常に効率の良い使用感、達成感のある働きをする。
また第１請求項により、第３平行・角度変更移動手段を用いて左右に「ブロー」することで、ダマになっている中心部水滴を激しくゆり動かし剥離脱落させることができる。【００１１】図１１に示すように、本発明乾燥装置の制御系統は、制御部４０、スイッチ４１、エアコンプレッサ４２、ノズル電磁石８−０（図８）、第一バルブ４３、第２、第３バルブ４４，４５は電磁バルブである。
スイッチ４１は当乾燥装置の動作の開始を制御する。具体的にはスイッチをオンにすると制御部の動作が開始する。制御部は当乾燥装置のシーケンス制御をするものであり、エアコンプレッサ４２、第１バルブ４３、第２バルブ４４および第３バルブ４５を制御する。エアコンプレッサはエアの供給源であり、第１バルブを経由して第１エア噴射スリット５−１にエアを供給し、第２バルブまたは第３バルブを経由して第１平行移動手段５−３にエアを供給する。なお、第２バルブを経由してエアが第１平行移動手段５−３の第１エア入力端２５ａに供給された場合には、第１平行移動手段５−３は左右スリットのキョリＬを狭めるように左右スリットの移動シリンダを動作させる。逆に、第３バルブ４５を経由してエアが第１平行移動手段５−３の第２エア入力端２５ｂに供給された場合には、第１平行移動手段５−３は左右スリットのキョリＬを広げるように第１左右スリットの平行移動のためのシリンダを動作させる。
ノズル電磁石８−０への電流も制御部４０にて制御される。
このようにして他の移動手段も制御部にてコントロールされる。
【発明の効果】
【００１２】請求項１記載の発明に係る便器用乾燥装置によれば、水で洗浄後の人体の局部を従来よりも短い時間（例えば数秒間）で乾燥させることができる。
また、人体の局部を紙で拭く必要がないので、紙を生産するのに必要な電力、石油等の消費を少なくし、炭酸ガスの発生を少なくして地球環境保全をし、地球温暖化の防止に役立つことができる。
また世界的傾向にある高齢化社会の高齢者や身体障害者に貢献することができる。
さらに、請求２記載の発明によれば、請求第１記載の発明の効果とともに、請求項１記載の発明を容易に構成することができる。
また請求３記載の発明によれば、電磁石への電流の強弱を変化させることにより、左右噴射スリットのノズル幅を自由自在にコントロールでき、ノズルの上フタの形状からは、柔らかいソフトの温風圧からたんたんと叩くような風合いの温風圧まで、微妙にコントロールできるので、使用感、達成感、満足感を実現できる。特に女性のデリケートな部分には細かい風合いまでも必要とされる。
【図面の簡単な説明】
【００１３】
【図１】洗浄後の人体に付着した水分（水滴）の分布図
【図２】人体に付着した水分（水滴）に噴射された温風圧
【図３】噴射スリットから人体へ噴射された温風圧の動作（外部水滴を中心部に寄せる）
【図４】噴射スリットから人体へ噴射された温風圧の動作（左右にブロー）
【図５】便器と第１噴射スリット、第２噴射スリットを備えた平面図
【図６】第１平行移動手段、第２平行・角度変更移動手段、第３上下移動手段、第１噴射スリットの平面図
【図７】便座の上部「フタ」の断面図
【図８】噴射スリットの断面図
【図９】噴射スリットの左側面図
【図１０】噴射スリットのノズルの断面図
【図１１】本発明の乾燥装置の制御系統のブロック図
【符号の説明】
【００１４】１−０  中心部水滴（人体肛門部付近）
１−１  外部水滴
５−０  便器の上フタ
５−１  第１エア噴射スリット
５−２  第２エア噴射スリット
５−３  第１平行移動手段
５−４  第２平行・角度変更移動手段
５−５  噴射スリットの軸受
６−１  第３上下移動手段（ロット部）
６−２  第１、第２移動手段を載せた底板（便器の上フタの底板）
７−０  底板６−２の軸受
７−１  便器の上フタ
８−０  電磁石
８−２  エアコンプレッサからのエア入り口
８−３  第２平行・角度変更移動手段のロット
１０−０  ノズル部分の上フタ
１０−１  ノズル部分の上フタの軸受
【発明を実施するための形態】
【００１５】図１１で示すようにスイッチ、コンプレッサ、電磁石、移動手段など各動作を連携させてコントロール（制御）するパターン化された方式を作成して利用し易くする。
先ず外部水滴を前述のごとく「ほうきで掃くような方式」の噴射をさせて中心部に寄せ集め、根を切るように左右の噴射スリットからの温風圧で剥離脱落させた後、残りの水滴を左右に「ブロー」することで完全に乾燥させる。
動作として左右の噴射スリットを中心部へ平行移動（Ｌ−０まで）させる。噴射角度を変えながら上述の「外部水滴をほうきで掃く」「中心部水滴の根を切る」「左右にブローする」方式でエア噴射する。平行移動（Ｌを大きく）して上フタの中に格納する。
電磁石付近に赤外線によるキョリ計測機（デジタルカメラなどの）を取り付けると、人体に触れずに最も近い距離でエア噴射させることができ、効率と質は極めて高いものになる。
また使用感、達成感は重要である。水分４５％、１３％、５％などの表示があると使用者に達成感と安心感が満たされる。
女性のデリケートな部分には、人によって感度が違うので温風圧の強弱を手動により微細にコントロールできるようにする。
また同様に紫外線発射装置をノズル先端部分に設置して人体の殺菌ができる。
また洗浄水の出口付近に弱皮膚者、高齢者、などのために皮膚の保湿剤（例えばオリーブ油など）をナノサイズで噴霧させると良い。
【実施例】
【００１６】洗浄後に本発明乾燥機のスイッチＯＮで洗浄水を乾燥させ、トイレットペーパー不要である。
【産業上の利用可能性】
【００１７】世界の先進国では、医学の進歩と共に高齢者、障害者、認知症などの患者など自分の身体のケアができない人口が増えている。本発明は紙を使わないという地球環境保全と共に高齢者には人生の最終期に他人の世話になりながら用をたすという精神的苦痛から開放され人間の尊厳を保持できる。
本発明乾燥装置は電気掃除機と対称的で製造原価は同等もしくはそれ以下であり、消費者には紙（トイレットペーパー）の節約で本機を購入することができる。
高齢者をかかえる家族以外に一般にも普及すると思われる。
【図１】
2013227830.tif 000003
【図２】
2013227830.tif 000004
【図３】
2013227830.tif 000005
【図４】
2013227830.tif 000006
【図５】
2013227830.tif 000007
【図６】
2013227830.tif 000008
【図７】
2013227830.tif 000009
【図８】
2013227830.tif 000010
【図９】
2013227830.tif 000011
【図１０】
2013227830.tif 000012
【図１１】
2013227830.tif 000013